(57)【要約】【課題】  スチーム式美容器の本体を傾けてこぼれ出てしまうまでの余裕角度範囲を大きくとることができて傾きに対する安全性を向上させるとともに、給水蓋を閉じた際に貯水タンクのオーバーフロー孔を閉塞することができるスチーム式美容器を提供する。【解決手段】  貯水タンク１１と、使用者が操作する給水蓋１４と、スチーム吐出口１６を備え、中間経路にヒータ１２を配設した沸騰室１３を設置し、貯水タンク１１にオーバーフロー孔３０を設けるとともにオーバーフロー機構３を備えたスチーム式美容器において、スチーム吐出口１６を貯水タンク１１の上部に平面視で重複するように美容器本体１に設けるとともに、給水蓋１４を平面視で貯水タンク１１と重複しないように美容器本体１に開閉自在に設け、前記給水蓋１４の開閉動作に連動して貯水タンク１１のオーバーフロー孔３０を開閉させるオーバーフロー孔開閉連動機構４を設けた。【選択図】        図１
2005349132.tif 000002
【特許請求の範囲】
【請求項１】
水を貯水する貯水タンクと水を加熱するヒータと、貯水タンク給水口をシールする弾性シール体を兼ね備えて使用者が操作する給水蓋と、スチームを吐出するスチーム吐出口を備え、貯水タンクからスチーム吐出口への中間経路に前記ヒータを配設した沸騰室を設置し、貯水タンクにオーバーフロー孔を必要水位と同等の位置に設け、オーバーフロー孔と貯水タンク外部へ設けた水路を接続して形成されるオーバーフロー機構を備えたスチーム式美容器において、スチーム吐出口を貯水タンクの上部に平面視で重複するように美容器本体に設けるとともに、給水蓋を平面視で貯水タンクと重複しないように美容器本体に開閉自在に設け、前記給水蓋の開閉動作に連動して貯水タンクのオーバーフロー孔を開閉させるオーバーフロー孔開閉連動機構を設けて成ることを特徴とするスチーム式美容器。
【請求項２】
貯水タンク給水口を開くために給水蓋を起立させた時に該給水蓋の起立姿勢を保持する保持機構を設けて成ることを特徴とする請求項１記載のスチーム式美容器。
【請求項３】
給水蓋を開ける際に該給水蓋に設けた貯水タンク給水口をシールする弾性シール体の弾性反力にて給水蓋をポップアップさせるとともに、給水蓋の閉状態を保持するフックによる給水蓋の係止解除後の該フックの復帰によってポップアップさせるポップアップ機構を設けて成ることを特徴とする請求項１又は２記載のスチーム式美容器。
【発明の詳細な説明】
【技術分野】
【０００１】
本発明はスチーム式美容器に関するものである。
【背景技術】
【０００２】
従来より、スチーム式美容器が利用されている（例えば特許文献１参照）。この従来のスチーム式美容器は、図１２に示すように、水を貯水する貯水タンク１１と、水を加熱して気化させるためのヒータ１２を備えた沸騰室１３と、シール性を持って貯水タンク１１に着脱自在に接続される給水蓋１４と、沸騰室１３で発生したスチームの経路となるスチーム経路１５と、該スチーム経路１５の下流端に配設されてスチームを吐出するスチーム吐出口１６とで主体が構成される。
【０００３】
貯水タンク１１の内部には、貯水タンク１１へとつながるオーバーフロー管が配置してある。オーバーフロー管は、貯水タンク１１の底部から上方向きに設けてあり、その上端開口のオーバーフロー孔３０を貯水タンク１１の水位の最上位置に配置してある。そして、貯水タンク１１の上部の貯水タンク給水口１０に給水蓋１４を装着して閉じた際、給水蓋１４の裏面に固定された弾性シール体によってオーバーフロー孔３０が閉塞されるとともに、給水蓋１４を取外して貯水タンク給水口１０を開けた際、オーバーフロー孔３０も開口される。
【０００４】
このスチーム式美容器は、本体の中央部に貯水タンク１１が配設してあり、給水蓋１４は貯水タンク１１の上部に（平面視で貯水タンク１１と重複するように）配設してあり、スチーム吐出口１６は本体の前部に（平面視で貯水タンク１１と重複しない位置に）配設してあった。
【０００５】
このように、スチーム吐出口１６が平面視で貯水タンク１１と重複しない前部に配設してあるため、本体を正規の置き方から前方へ傾けた際、貯水タンク１１の水がスチーム吐出口１６からこぼれ出てしまう角度までの余裕角度範囲が小さくなり、傾きに対する安全性が低いものであった。
【０００６】
そこで、スチーム吐出口１６を平面視で貯水タンク１１と重複するようにその上部に配設することが考えられるが、この場合、給水蓋１４を平面視で貯水タンク１１と重複しない位置に配置しなければならず、これにより、給水蓋１４によって貯水タンク給水口１０を閉塞した時に、給水蓋１４の裏面に固定された弾性シール体によってオーバーフロー孔３０を閉塞することが困難となるという問題があるものであった。
【特許文献１】特開２００１−１９０６３２号公報
【発明の開示】
【発明が解決しようとする課題】
【０００７】
本発明は上記の点に鑑みてなされたものであり、その目的とするところは、スチーム式美容器の本体を正規の置き方から傾けて貯水タンク内の水がスチーム吐出口からこぼれ出てしまうまでの余裕角度範囲を大きくとることができて傾きに対する安全性を向上させるとともに、給水蓋を閉じた際に貯水タンクのオーバーフロー孔を閉塞することができるスチーム式美容器を提供することを課題とするものである。
【課題を解決するための手段】
【０００８】
上記課題を解決するために請求項１記載の発明にあっては、水を貯水する貯水タンク１１と水を加熱するヒータ１２と、貯水タンク給水口１０をシールする弾性シール体１４ｄを兼ね備えて使用者が操作する給水蓋１４と、スチームを吐出するスチーム吐出口１６を備え、貯水タンク１１からスチーム吐出口１６への中間経路に前記ヒータ１２を配設した沸騰室１３を設置し、貯水タンク１１にオーバーフロー孔３０を必要水位と同等の位置に設け、オーバーフロー孔３０と貯水タンク１外部へ設けた水路を接続して形成されるオーバーフロー機構３を備えたスチーム式美容器において、スチーム吐出口１６を貯水タンク１１の上部に平面視で重複するように美容器本体１に設けるとともに、給水蓋１４を平面視で貯水タンク１１と重複しないように美容器本体１に開閉自在に設け、前記給水蓋１４の開閉動作に連動して貯水タンク１１のオーバーフロー孔３０を開閉させるオーバーフロー孔開閉連動機構４を設けて成ることを特徴とするものである。
【０００９】
このように、スチーム吐出口１６を貯水タンク１１の上部に平面視で重複するように美容器本体１に設けたことで、美容器本体１を傾斜させた時、スチーム吐出口１６から貯水タンク１１の水または湯がこぼれるまでの余裕角度範囲を大きくかせぐことができて火傷等の危険に対する安全性が向上でき、また、これにあたって前記安全性を確保するための複雑な流路等を設ける必要がなく部品点数の削減ができ、美容器本体１のコンパクト化が可能となる。
【００１０】
またこれに伴い、給水蓋１４を平面視で貯水タンク１１と重複しないように美容器本体１の別の位置に設けたにもかかわらず、給水蓋１４の開閉動作に連動して貯水タンク１１のオーバーフロー孔３０を開閉させるオーバーフロー孔開閉連動機構４を設けたことで、通常の単純な給水蓋１４の開閉動作に連動してオーバーフロー孔を開閉させることができる。
【００１１】
また、請求項２の発明は、貯水タンク給水口１０を開くために給水蓋１４を起立させた時に該給水蓋１４の起立姿勢を保持する保持機構を設けて成ることを特徴とするものである。
【００１２】
このような構成とすることで、給水蓋１４の姿勢が保たれるため、使用者が給水中、給水蓋１４が自重で倒れることがなく、給水動作を阻害することがないため、使い勝手が向上する。また、オーバーフロー孔開閉連動機構４を利用して保持機構を形成するため、専用保持機構を新設する必要がない。
【００１３】
また、請求項３の発明は、請求項１又は２において、給水蓋１４を開ける際に該給水蓋１４に設けた貯水タンク給水口１０をシールする弾性シール体１４ｄの弾性反力にて給水蓋１４をポップアップさせるとともに、給水蓋１４の閉状態を保持するフック５３による給水蓋１４の係止解除後の該フック５３の復帰によってポップアップさせるポップアップ機構５を設けて成ることを特徴とするものである。
【００１４】
このような構成とすることで、給水蓋１４のポップアップによって、使用者は容易にかつ楽に給水蓋１４を開けることができ、これにあたり、弾性シール体１４ｄの形状変化による屈曲反力を利用するためポップアップ専用のバネ部材等が不要となり部品点数が削減できるとともに、ポップアップ量を大きくとることができる。
【発明の効果】
【００１５】
本発明にあっては、美容器本体を傾斜させた時、スチーム吐出口から貯水タンクの水または湯がこぼれるまでの余裕角度範囲を大きくかせぐことができて火傷等の危険に対する安全性が向上でき、また、これにあたって前記安全性を確保するための複雑な流路等を設ける必要がなく部品点数の削減ができ、美容器本体のコンパクト化が可能となる。またこれに伴い、給水蓋を平面視で貯水タンクと重複しないように美容器本体の別の位置に設けたにもかかわらず、給水蓋の開閉動作に連動して貯水タンクのオーバーフロー孔を開閉させるオーバーフロー孔開閉連動機構を設けたことで、通常の単純な給水蓋の開閉動作に連動してオーバーフロー孔を開閉させることができる。
【発明を実施するための最良の形態】
【００１６】
以下、本発明の実施の形態について説明する。
【００１７】
スチーム式美容器は、図１、図２に示すように、水を貯水する貯水タンク１１と、水を加熱して気化させるためのヒータ１２を備えた沸騰室１３と、シール性を持って貯水タンク１１に着脱自在に接続される給水蓋１４と、沸騰室１３で発生したスチームの経路となるスチーム経路１５と、該スチーム経路１５の下流端に配設されてスチームを吐出するスチーム吐出口１６とで主体が構成される。
【００１８】
貯水タンク１１と沸騰室１３とは、その下端部同士を給水通路１７で接続してある。給水通路１７はスチームを短時間で発生させるべく、その流路３３ｂの断面積を長さに対して小さく（例えば、径φ２．５ｍｍ、長さＬ＝１８．０ｍｍ）設計してあり、貯水タンク１１から沸騰室１３への送水量を規制している。沸騰室１３は、発生したスチームを該沸騰室１３から吐出する吐出部１８がその上部に形成してあり、前記吐出部１８から図示しない途中経路を介して後述する高圧放電部経路１９へ導かれる。図中のＷは水を示す
貯水タンク１１の上部には、貯水タンク１１に給水するための貯水タンク給水口１０が配置されるとともに、貯水タンク給水口１０に給水蓋１４が開閉自在に設けてある。本実施形態では、貯水タンク１１のタンク本体の上面に、上方に突出するとともに後方へ屈曲し更に上方に屈曲するエルボ２０部材を接続し、エルボ２０部材の上側の端部開口を貯水タンク給水口１０としてあり、給水蓋１４が平面視で貯水タンク１１と重複しない位置に配置されている。
【００１９】
貯水タンク１１の側壁には、貯水タンク１１内の必要以上の水を貯水タンク１１へ排出するため後述するオーバーフロー機構３のオーバーフロー孔３０が形成してあり、このオーバーフロー孔３０は後述するが給水蓋１４の開閉に連動して開閉される。
【００２０】
この貯水タンク１１から給水通路１７を通って水が沸騰室１３に入り、沸騰室１３のヒータ１２によって発生したスチームは吐出部１８から図示しない途中経路を通って、中央部に高圧放電部２１が配設された高圧放電部経路１９へと導かれる。高圧放電部経路１９は貯水タンク１１の上部に配置され、その内面にスチームが付着して形成される水滴が貯水タンク１１に戻るように貯水タンク１１と連通してある。高圧放電部２１は、高圧放電部経路１９を流れるスチームを微細化するもので、制御回路２２によって制御される。そしてこの高圧放電部経路１９の上部にスチーム吐出口１６が設けてある。
【００２１】
スチーム吐出口１６は、スチームの吐出方向が前後左右に所定範囲内で回動自在となるように貯水タンク１１の上部に（平面視で貯水タンク１１と重複するように）美容器本体１に配設されるもので、美容器本体１に回動自在となる本体外郭部２３と、本体外郭部２３内に形成される流路筒部２４と、流路筒部２４の下流側（上側）に取付けられて本体外郭部２３外へと延出するノズル筒部２５とからなる。本体外郭部２３は略半球殻状に形成してあり、その中心が回動中心となっている。流路筒部２４は上記高圧放電部経路１９とジャバラ状をした屈曲弾性体２６によって接続してあり、これによってスチーム吐出口１６とともに回動する流路筒部２４と固定側となる美容器本体１の高圧放電部経路１９との間に密閉した流路３３ｂを柔軟に形成することができる。
【００２２】
また、美容器本体１の上面前部には、スチーム吐出のＯＮ／ＯＦＦの切替スイッチ２７が設けられるとともに切替スイッチ２７は上記制御回路２２に接続され、制御回路２２は電源供給用の電源コード２８が接続されてあり、制御回路２２によって本美容器本体１の電気・電子機器が制御される。
【００２３】
そして、本発明においては、給水蓋１４の開閉に連動してオーバーフロー孔３０を開閉するオーバーフロー孔開閉連動機構４を設けるもので、まずオーバーフロー機構３について説明する。
【００２４】
オーバーフロー機構３は、図３、図４に示すように、貯水タンク１１のオーバーフロー孔３０から排出された水が通る接続チューブ３１と、接続チューブ３１の下流端に接続されるとともに後述するオーバーフロー孔開閉連動機構４のスライド部材４１が挿通される挿通孔４３ａを有する天蓋３２ａ付きのシリンダー３２と、シリンダー３２の下流側（下側）に配置されて水を下方から排出するためのオーバーフローパイプ３３とで主体が構成される。
【００２５】
シリンダー３２の下端部とオーバーフローパイプ３３の上端筒部３３ａとはＯリング３４によってシール性をもって接続されている。オーバーフローパイプ３３には、上端筒部３３ａの内側から下端部にかけて流路３３ｂが貫通形成してあり、これにより、オーバーフロー孔３０からオーバーフローパイプ３３の流路３３ｂ出口に至るオーバーフロー経路が形成される。そして、オーバーフロー経路の途中（本実施形態ではオーバーフローパイプ３３の流路３３ｂの上流端の開口部３３ｃ）をオーバーフロー孔開閉連動機構４によって給水蓋１４の開閉に連動して開閉している。
【００２６】
オーバーフロー孔開閉連動機構４は、図３、図４に示すように、上下にスライド自在となるスライド部材４１と、前記スライド部材４１の上端部に一端部が接続されるとともに略中央部が美容器本体１の突出リブ２９に支持されて回転支点Ｙとなるシーソー部材４２と、シーソー部材４２の他端部に上方より当接する可動ピン４３とで主体が構成される。スライド部材４１は、シリンダー３２の天蓋３２ａの挿通孔３２ｂに軸パッキン３５を介して挿通して上下にスライド自在となる軸状のもので、例えばＳＵＳ３０４−ＷＳで形成してあり、下端部に弾性部材（例えば、Ｓｉゴム硬度４０度）で形成されるフロー栓４４が取り付けられて上下スライドによってオーバーフローパイプ３３の開口を開閉する。スライド部材４１には圧縮コイルバネ４５を同心状に嵌挿して該圧縮コイルバネ４５の下端部を固定するとともに上端部を美容器本体１に固定し、スライド部材４１を下方に付勢している。またスライド部材４１の上端部にはＥリング４６ａを設けてあるとともに、圧縮コイルバネ４５を固定した下側の部分に別のＥリング４６ｂを設けてあり、このＥリング４６ｂによって圧縮コイルバネ４５が軸パッキン３５と接触しないようになっている。また、スライド部材４１を支持する突出リブ２９は貯水タンク１１と一体形成することが好ましく、これにより、部品点数の削減および、回転支点Ｙの安定性確保が可能となる。
【００２７】
可動ピン４３は、美容器本体１に対して上下にスライド自在となる軸状のもので、美容器本体１に形成された挿通孔を挿通して上下する。この可動ピン４３は上端部を給水蓋１４の摺動リブ１４ａによって下方に押圧される。すなわち、給水蓋１４は回動中心となる枢支部を挟んで蓋本体１４ｂと反対側に摺動リブ１４ａが突出してあり、給水蓋１４を開ける際に蓋本体１４ｂを上方へ回動すると摺動リブ１４ａが下方に回動して可動ピン４３を下方へ押し下げる。
【００２８】
これにより、給水蓋１４を開けると、前記のように摺動リブ１４ａが可動ピン４３を下方に押し下げ、可動ピン４３の下端部によってシーソー部材４２の他端部が下方に押し下げられるとともにその反対側の一端部が上方へ回動し、これによってスライド部材４１が上方にスライドして下端部のフロー栓４４が上昇し、オーバーフローパイプ３３の開口を開く。
【００２９】
また、摺動リブ１４ａに大きな荷重をかけることなく可動ピン４３を押し下げるには、摺動リブ１４ａのリブ長を短くするとともに可動ピン４３の押し下げ量を少なくすればよいが、オーバーフローパイプ３３の開口の確実な開閉にはフロー栓４４すなわちスライド部材４１のスライド量を大きくする必要があり、相反する動作が要求される。そこでシーソー部材４２は両軸での可動距離を変えるべく波状に形成してあり、図４に示すように、可動ピン４３の１．８ｍｍ押し下げによりスライド部材４１は３．０ｍｍスライドする。
【００３０】
また、給水蓋１４閉時にシーソー部材４２とＥリング４６ａの間にクリアランスを設けることで、圧縮コイルバネ４５のバネ応力によりフロー栓４４は開口に押し付けられる下向きの力が加わった状態となり、関口に対するシール性を確保できる。
【００３１】
本実施形態においては、給水蓋１４を開けた状態で保持する保持機構が設けてある。これは、図５に示すように、給水蓋１４の摺動リブ１４ａの端面を平面１４ｃとするとともに、可動ピン４３の前記摺動リブ１４ａが当接する部分を水平面４３ｂとするもので、これにより、給水蓋１４を全開して直立状態とした時、摺動リブ１４ａの平面１４ｃが可動ピン４３の水平面４３ｂと面接触し、可動ピン４３は圧縮コイルバネ４５のバネ力によって押し上げ力を受けるため前記面接触している部分が押圧されて面接触状態が保持されて給水蓋１４の起立姿勢が保持されるものである。なお、水平面４３ｂを可動前後において水平として形成せず可動後に水平となる平面１４ｃとして形成してもよい。また、水平面４３ｂを任意の角度をもった平面１４ｃあるいは球状面として形成してもよく、平面１４ｃもそれに対応した形状としてバネ応力を受力させるようにしてもよい。
【００３２】
次に、給水蓋１４を開けるためのポップアップ機構５について図６に基づいて説明する。
【００３３】
給水蓋１４は、上述したように図中の回転支点Ｚをヒンジとして回動自在に設けてあるとともに、この給水蓋１４には貯水タンク給水口１０のシール用部材として弾性シール体１４ｄが固定してある。弾性シール体１４ｄは、給水蓋１４を閉じた時、その形状が屈曲変形し易いように内方部を除肉し且つ屈曲による弾性反力が給水蓋１４と弾性シール体１４ｄの質量以上となるようその形状と肉厚を設計してあり、これによって弾性シール体１４ｄはシール部材としての機能をもつことができる。本実施形態では弾性シール体１４ｄの屈曲変形量を例えば１．０ｍｍに設計してある。
【００３４】
給水蓋１４を開けるためのプッシュボタン５０は、美容器本体１に固定されるボタン基台５１に上下スライド自在に取り付けられ圧縮コイルバネ５２を両部材で挟み込み設置する。プッシュボタン５０は、プッシュ後に圧縮コイルバネ５２のバネ応力で初期位置まで復帰する。
【００３５】
ボタン基台５１にはフック５３が回転自在に取り付けてあり、プッシュボタン５０のプッシュ時はプッシュボタン５０内方へ収納され、プッシュボタン５０が圧縮コイルバネ５２によって初期位置へ復帰する動作に伴ってフック５３も初期位置へ復帰する。ここで、フック５３によって、給水蓋１４が閉時の姿勢を保つことになるため、弾性シール体１４ｄの屈曲反力以上に圧縮コイルバネ５２のバネ応力を設定しておく。
【００３６】
以上のような構成により、プッシュボタン５０を押すことでフック５３がプッシュボタン５０内方へ収納され、給水蓋１４のロック解除が行われる。これにより、弾性シール体１４ｄの屈曲反力で給水蓋１４がポップアップ（これを１次ポップアップという）する。本実施形態の場合、弾性シール体１４ｄの屈曲変形量が１．０ｍｍのため、一次ポップアップ距離は約１．０ｍｍとなる。
【００３７】
また、プッシュボタン５０が初期位置へ復帰することでフック５３も初期位置へ復帰するが、この時、フック５３の給水蓋１４と接触する傾斜面５３ａと給水蓋１４の前記傾斜面５３ａと接触する接触面１４ｅとの接触角を本実施形態では６°とし、鋭角摺動を可能としている。この鋭角摺動によって、初期位置に復帰したフック５３の傾斜面５３ａによって給水蓋１４は更に上方へ押し上げられポップアップ（これを最終ポップアップという）を行う。
【００３８】
また、以下に沸騰室１３について図７、図８に基づいて説明する。
【００３９】
貯水タンク１１からの水が導入される給水通路１７とスチームを吐出する吐出部１８にメッシュ状のフィルター６を設置してある。フィルター６の固定は、沸騰室１３の壁面に凹状の溝をフィルター６形状に合うよう形成するとともに、その溝にフィルター６を挟み込み固定する。
【００４０】
図８にフィルター６を設けない例を示す。この場合、水の蒸発によって析出したスケールＳは、沸騰による突沸で吐出部１８より貯水タンク１１内へ侵入してしまう。また、給水通路１７においても水の対流でスケールＳは貯水タンク１１内へ侵入してしまう。貯水タンク１１内へ侵入したスケールＳは、貯水タンク１１内の水と共に再び沸騰室１３へ給水通路１７を通って回帰する。給水通路１７はその断面を小さく形成してあるため、給水通路１７を移動するスケールＳによってその通路が詰まってしまう。
【００４１】
図７にフィルター６を設ける本例を示す。水の蒸発によって析出したスケールＳは、フィルター６によって沸騰室１３から出ることがなく、貯水室への侵入を防止することができる。ここで、フィルター６を通過するスケールＳを考慮すると、給水通路１７が詰まらないためには、フィルター６のメッシュ粗さを給水通路１７の直径の５０％以下とすることが好ましい。本実施形態の場合、給水通路１７の直径２．５ｍｍに対してメッシュ粗さ１．０ｍｍであるため、約４０％となって好ましい範囲にある。
【００４２】
また、本実施形態のフィルター６は角状に形成しているが、球状として形成してもよく、形状は特に限定されない。
【００４３】
また、沸騰室１３には、給水通路１７との連通部より下方にスケール溜まり部１３ｂが設置してあり、これにより、スケールＳが経時的に沈殿固着してもスケール溜まり部１３ｂに溜まることとなってフィルター６および給水通路１７にスケールＳが詰まるのを防止することができる。スケール溜まり部１３ｂの体積は、高硬度水を設定寿命使用した場合に発生するスケールＳの総体積以上にして形成する。
【００４４】
また、以下に屈曲弾性体２６について図９、図１３に基づいて説明する。
【００４５】
図１３に従来例を示す。この場合、屈曲弾性体２６’はＶ字凹状をした部分２６ａ’を一箇所外周面に形成し、図中Ｚを中心としたスチーム吐出口１６の回動による屈曲弾性体２６’の形状変化を吸収していた。この時、Ｖ字凹状のＶ字角αは４５°以下で形成することが好ましく、４５°以上とした場合は屈曲時の内径変形量が大きくなり、屈曲弾性体２６’の断面を円形として形成できず、内周部に付着したスチームの結露の動きはスチーム吐出口１６の回動角度によって異なる拳動を示し、場合によっては、スチーム吐出口１６から熱い湯滴となって飛び出す恐れがあった。
【００４６】
また、Ｖ字角α４５°以下で形成した屈曲弾性体２６’の屈曲においては、屈曲後の図１３に示すように、最大屈曲時にが密着するためスチーム吐出口１６の操作力が過剰に増加してしまうため、可動角度β以上の屈曲はできずスチーム吐出口１６の可動角度が狭範囲に制限されてしまうものであった。
【００４７】
図９に示す本実施形態の屈曲弾性体２６においては、屈曲部をジャバラ状に形成したあり、形状変化による屈曲弾性体２６の弾性反発力が低減するため操作力を増大させることなくスチーム吐出口１６の可動角度βを広範囲に拡大できるほか、屈曲弾性体２６の変形時の内径変化量が少なく断面を円形のまま確保でき、また、内周面もジャバラ状に形成されて凹凸形状となり、水の表面張力を増大させる。すなわち、屈曲弾性体２６の内面においてスチーム通過時に発生する結露水の動きを親水性的に抑制することができるため、不規則あるいは偶発的な結露水の動きがなくなり、スチーム吐出口１６から熱い湯滴となって結露水が飛び出すことがなく火傷等に対する安全性が向上する。
【００４８】
以下、スチーム吐出口１６について図１０、図１４に基づいて説明する。
【００４９】
本発明においては、図１０に示すように、スチーム吐出口１６を平面視で貯水タンク１１と重複するように配置し、本体を正規の置き方から前方へ傾けた際、貯水タンク１１の水がスチーム吐出口１６からこぼれ出てしまう角度までの余裕角度範囲を大きくとることができて、傾きに対する安全性が大きいものである。
【００５０】
比較例として、図１４に従来例の場合を示す。従来例のものにおいて本実施形態と同様の余裕角度を得ようとする場合には、図１４に示すように前方に補助タンク１１’を配置する必要が生じ、不要な部品の増加につながる上にサイズが必要以上に大きくなってしまい、好ましくないものである。
【００５１】
また、以下に給水ケース７について図１１に基づいて説明する。
【００５２】
給水ケース７は、貯水部７１と、給水経路７２と給水口７３と水の加速度給水を防止するための急給水防止部７４を給水ケース７と一体として形成したものである。給水口７３の開口は急給水防止部７４の効果を得るためスムーズな水の流れを生じる大きさに形成するもので、本実施形態の場合、略角１０ｍｍに形成してある。
【００５３】
これにより、使用者は貯水タンク１１ヘ給水する際、給水経路７２によって確実な導水ができ狙いの場所への給水が容易となるほか、急給水防止部７４を乗り越えて給水したくない人間の心理が働くことによって急給水が防止でき、貯水タンク１１ヘの給水孔が小さいような場合でもあふれて給水することが防止され、確実な給水が可能となる。
【図面の簡単な説明】
【００５４】
【図１】本発明の一実施形態の断面図である。
【図２】同上の斜視図である。
【図３】同上のオーバーフロー機構およびオーバーフロー孔開閉連動機構の断面図である。
【図４】同上において給水蓋を開けて起立させた状態の要部断面図である。
【図５】同上の保持ク機構を説明する給水蓋付近の要部拡大断面図である。
【図６】（ａ）（ｂ）（ｃ）（ｄ）（ｅ）は同上のポップアップ機構を説明する断面図である。
【図７】同上の沸騰室のフィルターを設けた例を示し、（ａ）は側断面図であり、（ｂ）は平面断面図である。
【図８】同上の沸騰室のフィルターを設けない場合の断面図である。
【図９】同上の屈曲弾性体を説明する断面図であり、（ａ）は屈曲前の断面図であり、（ｂ）は屈曲後の断面図である。
【図１０】同上において湯こぼれに対する余裕角度を説明する説明図を示し、（ａ）は傾斜していない正常姿勢の断面図であり、（ｂ）は傾斜した状態の断面図である。
【図１１】同上の給水ケースを示し、（ａ）は上方から見た斜視図であり、（ｂ）は下方から見た斜視図であり、（ｃ）は下面図であり、（ｄ）は正面図であり、（ｅ）は側面図であり、（ｆ）は（ｄ）のＡ−Ａ断面図である。
【図１２】従来例の一実施形態の断面図である。
【図１３】従来例における湯こぼれに対する余裕角度を説明する説明図を示し、（ａ）は傾斜していない正常姿勢の断面図であり、（ｂ）は傾斜した状態の断面図である。
【図１４】従来例の屈曲弾性体を説明する断面図を示し、（ａ）は屈曲前の断面図であり、（ｂ）は屈曲後の断面図である。
【符号の説明】
【００５５】
１    美容器本体
１０  貯水タンク給水口
１１  貯水タンク
１２  ヒータ
１３  沸騰室
１４  給水蓋
１４ｄ  弾性シール体
１６  スチーム吐出口
３    オーバーフロー機構
３０  オーバーフロー孔
４    オーバーフロー孔開閉連動機構
【図１】
2005349132.tif 000003
【図２】
2005349132.tif 000004
【図３】
2005349132.tif 000005
【図４】
2005349132.tif 000006
【図５】
2005349132.tif 000007
【図６】
2005349132.tif 000008
【図７】
2005349132.tif 000009
【図８】
2005349132.tif 000010
【図９】
2005349132.tif 000011
【図１０】
2005349132.tif 000012
【図１１】
2005349132.tif 000013
【図１２】
2005349132.tif 000014
【図１３】
2005349132.tif 000015
【図１４】
2005349132.tif 000016